(57)【要約】【課題】本発明は、ランダムに抽出された情報又は商品をユーザに提供するにあたり、ユーザの興味を喚起し易く、且つ飽きられ難い情報又は商品の提供装置及びシステムを提供することを課題とする。【解決手段】ユーザの情報端末であるユーザ端末１にトリガー情報を提供するトリガー情報提供手段２２と、上記トリガー情報を受取ったことを少なくとも１つの条件として予め定めた所定の処理であるユーザ処理を、前記ユーザ端末１によって実行した場合に、該ユーザ端末１から送られてくる処理済通知を受付ける通知受付手段２３と、上記処理済通知を前記通知受付手段２３により受取ったことを少なくとも1つの条件として、情報又は商品をランダムに抽出する処理又はランダムな抽出を可能とする処理である抽出動作処理を行う抽出手段２４とを備えた。【選択図】図６
2016004312.tif 000002
【特許請求の範囲】
【請求項１】
ランダムに抽出された情報又は商品をユーザに提供する情報又は商品の提供装置であって、
ユーザの情報端末であるユーザ端末にトリガー情報を提供するトリガー情報提供手段と、
上記トリガー情報を受取ったことを少なくとも１つの条件として予め定めた所定の処理であるユーザ処理を、前記ユーザ端末によって実行した場合に、該ユーザ端末から送られてくる処理済通知を受付ける通知受付手段と、
上記処理済通知を前記通知受付手段により受取ったことを少なくとも1つの条件として、情報又は商品をランダムに抽出する処理又はランダムな抽出を可能とする処理である抽出動作処理を行う抽出手段とを備えた
ことを特徴とする情報又は商品の提供装置。
【請求項２】
上記ユーザ処理には、ユーザ端末によってゲームを行わせる処理、或いはユーザ端末からアンケートに回答させる処理の内の少なくとも１つが含まれる
請求項１に記載の情報又は商品の提供装置。
【請求項３】
前記抽出手段は、ランダムに抽出されるようにして商品を排出するか、或は該商品をランダムに排出可能とするアクチュエータによって、上記抽出動作処理を行う
請求項１又は２の何れかに記載の情報又は商品の提供装置。
【請求項４】
前記抽出手段は、ユーザ端末に提供する情報をランダムに抽出し、該抽出した情報をモニタ画面に出力するか、或いは該ユーザ端末に送信するように構成された
請求項１又は２の何れかに記載の情報又は商品の提供装置。
【請求項５】
ランダムに抽出された情報又は商品をユーザに提供する情報又は商品の提供システムであって、
ユーザの情報端末であるユーザ端末と、
情報又は商品を抽出する処理又は抽出を可能とする処理である抽出動作処理を行う提供装置とを備え、
前記提供装置は、上記ユーザ端末にトリガー情報を提供し、
前記ユーザ端末は、上記トリガー情報を受取ったことを少なくとも１つの条件として予め定めた所定の処理であるユーザ処理を実行し、該ユーザ処理の処理済通知を提供装置に直接又は間接的に送信し、
前記提供装置は、上記処理済通知を受取ったことを少なくとも1つの条件として、情報又は商品をランダムに抽出する処理又はランダムな抽出を可能とする処理である抽出動作処理を行う
ことを特徴とする情報又は商品の提供システム。
【請求項６】
提供装置又はユーザ端末との間で、情報処理の一部を請負う情報処理サーバを備えた
請求項５に記載の情報又は商品の提供システム。
【請求項７】
前記ユーザ端末は、上記処理済通知を、情報処理サーバに送信し、
該情報処理サーバは、ユーザ端末から受取った該処理済通知を、提供装置に送信する
請求項６に記載の情報又は商品の提供システム。
【発明の詳細な説明】
【技術分野】
【０００１】
この発明は、ランダムに抽出された情報又は商品をユーザに提供する情報又は商品の提供装置及びシステムに関する。
【背景技術】
【０００２】
ランダムに抽出された情報又は商品をユーザに提供する提供装置が従来公知である。例えば、ハンドル等を操作すると、多数のカプセル（商品）が格納されたストッカから該カプセルが１つランダムに抽出され、このランダムに抽出された商品が排出されてユーザに提供される物品払出し装置（提供装置）が公知になっている（例えば、特許文献１を参照。）。
【０００３】
また他には、ユーザがゲーム中で、仮想アイテム（情報）の取得を目的として、ガチャと呼ばれる行為を行うと、ランダムに抽出された仮想アイテムがユーザに提供されるゲームシステム（提供システム）も公知になっている（例えば、特許文献２を参照。）。
【先行技術文献】
【特許文献】
【０００４】
【特許文献１】特許第４０４７０７２号公報
【特許文献１】特許第５３２９７１９号公報
【発明の概要】
【発明が解決しようとする課題】
【０００５】
しかし、これらの文献に示された装置又はシステムでは、商品又は情報を抽出してユーザに提供する場合に、この商品又は情報がランダムで抽出されることにのみ娯楽性を見出す余地があるため、ユーザの興味を喚起し難いというデメリットがある。
【０００６】
本発明は、ランダムに抽出された情報又は商品をユーザに提供するにあたり、ユーザの興味を喚起し易い情報又は商品の提供装置及びシステムを提供することを課題とする。
【課題を解決するための手段】
【０００７】
本発明の情報又は商品の提供装置は、ランダムに抽出された情報又は商品をユーザに提供する情報又は商品の提供装置であって、ユーザの情報端末であるユーザ端末にトリガー情報を提供するトリガー情報提供手段と、上記トリガー情報を受取ったことを少なくとも１つの条件として予め定めた所定の処理であるユーザ処理を、前記ユーザ端末によって実行した場合に、該ユーザ端末から送られてくる処理済通知を受付ける通知受付手段と、上記処理済通知を前記通知受付手段により受取ったことを少なくとも1つの条件として、情報又は商品をランダムに抽出する処理又はランダムな抽出を可能とする処理である抽出動作処理を行う抽出手段とを備えたことを特徴とする。
【０００８】
上記ユーザ処理には、ユーザ端末によってゲームを行わせる処理、或いはユーザ端末からアンケートに回答させる処理の内の少なくとも１つが含まれるものとしてもよい。
【０００９】
前記抽出手段は、ランダムに抽出されるようにして商品を排出するか、或は該商品をランダムに排出可能とするアクチュエータによって、上記抽出動作処理を行うものとしてもよい。
【００１０】
前記抽出手段は、ユーザ端末に提供する情報をランダムに抽出し、該抽出した情報をモニタ画面に出力するか、或いは該ユーザ端末に送信するように構成されたものとしてもよい。
【００１１】
また、本発明の情報又は商品の提供システムは、ランダムに抽出された情報又は商品をユーザに提供する情報又は商品の提供システムであって、ユーザの情報端末であるユーザ端末と、情報又は商品を抽出する処理又は抽出を可能とする処理である抽出動作処理を行う提供装置とを備え、前記提供装置は、上記ユーザ端末にトリガー情報を提供し、前記ユーザ端末は、上記トリガー情報を受取ったことを少なくとも１つの条件として予め定めた所定の処理であるユーザ処理を実行し、該ユーザ処理の処理済通知を提供装置に直接又は間接的に送信し、前記提供装置は、上記処理済通知を受取ったことを少なくとも1つの条件として、情報又は商品をランダムに抽出する処理又はランダムな抽出を可能とする処理である抽出動作処理を行うことを特徴とする。
【００１２】
提供装置又はユーザ端末との間で、情報処理の一部を請負う情報処理サーバを備えたものとしてもよい。
【００１３】
前記ユーザ端末は、上記処理済通知を、情報処理サーバに送信し、該情報処理サーバは、ユーザ端末から受取った該処理済通知を、提供装置に送信するものとしてもよい。
【発明の効果】
【００１４】
前記ユーザ端末が、上記トリガー情報を受取ったことを少なくとも１つの条件として予め定めた所定の処理であるユーザ処理を実行し、この処理済通知を該ユーザ端末から受取ったことを条件として、情報又は商品のランダム抽出が実行又は実行可能となるため、上記ユーザ処理を工夫することにより、ユーザの興味を喚起することが容易になる。
【００１５】
例えば、ユーザ端末によってクイズ等のゲームを行わせるようにユーザ処理を設定すれば、ユーザの興味を喚起できる可能性が高くなる。一方、ユーザ端末からアンケートに回答させるようにユーザ処理を設定すれば、このアンケート結果をマーケティングにも利用可能になるため、企業側にもメリットがあり、ユーザへの商品又は情報の提供の際に、課金を不要にすることや、課金する額を低くすることが容易になるため、この点でも、ユーザの興味を喚起し易くなる。
【図面の簡単な説明】
【００１６】
【図１】本発明を適用した情報又は商品の提供システムの説明図である。
【図２】提供装置の構成を模式的に示す模式図である。
【図３】提供装置の制御構成を示すブロック図である。
【図４】ユーザ端末の制御構成を示すブロック図である。
【図５】情報処理サーバの制御構成を示すブロック図である。
【図６】提供装置と、情報処理サーバと、ユーザ端末の処理手順を示す説明図である。
【図７】本発明の他の実施形態に係る情報又は商品の提供システムの説明図である。
【図８】提供装置と、情報処理サーバと、ユーザ端末の処理手順を示す説明図である。
【図９】本発明の他の実施形態に係る情報又は商品の提供システムの説明図である。
【図１０】提供装置と、情報処理サーバと、ユーザ端末の処理手順を示す説明図である。
【図１１】本発明の他の実施形態に係る情報又は商品の提供システムの説明図である。
【図１２】提供装置と、第１情報処理サーバの処理手順を示す説明図である。
【図１３】ユーザ端末と、第２情報処理サーバの処理手順を示す説明図である。
【発明を実施するための形態】
【００１７】
図１は、本発明を適用した情報又は商品の提供システムの説明図である。図示する情報又は商品の提供システム（ガチャシステム）は、ユーザの情報端末であるユーザ端末１と、情報又は商品を抽出する処理又は抽出を可能とする処理である抽出動作処理を行ってユーザに商品又は情報を提供する提供装置（ガチャ装置）２と、各種情報処理を行う情報処理サーバ３とを備えている。
【００１８】
提供装置２と情報処理サーバ３とは、ローカルネットワーク又はグローバルネットワーク（例えばインターネット）等からなるネットワーク４を介して相互通信可能に接続され、ユーザ端末１と情報処理サーバ３とも上記ネットワーク４を介して相互通信可能に接続されている。
【００１９】
なお、上記ネットワーク４は、無線ネットワークと有線ネットワークの何れを用いてもよく、これらを組合せてもよい他、無線ネットワークの少なくとも一部に利用する場合、アクセスポイントや基地局等によってこの無線ネットワークを構築してもよい他、任意の情報端末間の相互通信によって構築されるアドホックネットワークなどを用いてもよい。
【００２０】
システム全体の処理について、簡単に説明すると、まず、提供装置２が、トリガー情報を、ユーザ端末１に提供する。
【００２１】
ユーザ端末１は、トリガー情報を受付けると、このトリガー情報が正しいものであるか否かを情報処理サーバ３に確認し、該情報処理サーバ３からＯＫを意味する確認済通知を受取ると、予め定められた所定の処理であるユーザ処理（例えば、アンケードへの回答処理や、各種ゲームのプレイ）を行うことが可能になり、ユーザは、ユーザ端末１によって、上記ユーザ処理を行う。
【００２２】
上記ユーザ処理が完了すると、ユーザ端末１は、ユーザ処理が完了した旨及び該ユーザ処理の処理内容の一方又は両方（本例では、両方）の情報が含まれた処理済通知を、情報処理サーバ３に送る。
【００２３】
情報処理サーバ３は、ユーザ処理が正しく行われたことを確認した後、その処理済通知の少なくとも一部（本例では、ユーザ処理が正しく完了した旨の通知）を、提供装置に送る。ちなみに、上記ユーザ処理中に、ユーザのアンケートへの回答などの情報が含まれている場合には、この情報を、情報処理サーバ３に蓄積して、企業のマーケティングや商品開発に活用できる。
【００２４】
提供装置２は、情報処理サーバ３からの処理済通知を受取ると、情報又は商品をランダムに抽出又は抽出可能とする抽出動作処理を行う。この抽出動作処理によって、抽出された情報又は商品がユーザに提供される。
【００２５】
すなわち、ユーザは、ユーザ端末１を介して、上記ユーザ処理を実行することを少なくとも１つの条件として、提供装置２から、ランダムに抽出された情報又は商品の提供を受けることが可能になる。このため、該ユーザ処理を適宜設定することにより、ユーザのこのサービスを提供する業者との間で、状況に応じて、双方にメリットのあるシステムを構築することが可能になる。
【００２６】
次に、各部の詳細を説明する。
【００２７】
図２は、提供装置の構成を模式的に示す模式図である。図１及び図２に示す通り、提供装置２は、カプセル及び該カプセルに収容された物品からなる商品６が複数（さらに具体的には多数）収容された収容ボックス（収容部）７と、各種部品が内装され且つ収容ボックス７を下支えする筐体８と、収容ボックス７の正面側に設置され且つ液晶等のモニタ９ａを有するタブレット等の情報端末９と、筐体８の正面の下部寄り且つ左右一方側端寄りに形成された商品の排出口１１と、筐体８の正面の中央部に設置され且つ商品を上記排出口１１から排出させる操作を行う操作ハンドル（操作具）１２と、該操作ハンドル１２の左右両側にそれぞれ配置された操作ボタン（操作具）１３とを備えている。
【００２８】
筐体８内には、ＲＯＭやＲＡＭやＣＰＵがユニット化されたマイコン等からなる制御部１４と、収容ボックス７と排出口１１との間に形成された商品６の排出経路を排出状態と、非排出状態とに切換えることにより、該商品６を１個づつ排出する排出機構（図示しない）と、該排出機構の排出状態と非排出状態との切換操作を行う上述の操作ハンドル１２を、上記非排出状態に切換える操作位置（非排出操作位置）でロックするロック機構１６と、上記ロック機構１６をロック状態とロック解除状態とを切換える電動モータ等のアクチュエータ１７と、操作ハンドル１２の操作（さらに具体的には、操作位置）を検出する回転センサやポテンショメータ等の操作検出手段１８とが設けられている。
【００２９】
情報端末９は、モニタ９ａがユーザに視認可能な状態で、収容ボックス７に設置され、この情報端末９と制御部１４とは、無線又は有線によって通信可能に接続されている。
【００３０】
制御部１４が、アクチュエータ１７によって、ロック機構１６をロック解除状態に切換え、非排出操作位置で固定されていた操作ハンドル１２を回動操作とし、ユーザが、この操作ハンドル１２の回動操作によって、排出機構を非排出状態から排出状態に切換えた場合、収容ボックス７内の商品６からランダムに抽出された商品６が１つ排出され、該ユーザに提供される。
【００３１】
また、この状態から、さらに操作ハンドル１２の回動操作を続けて非排出操作位置に戻すと、この操作が、操作検出手段１８によって検出され、これによって制御部１４は、アクチュエータ１７により、ロック機構１６をロック状態とし、該操作ハンドル１２を再び上記非排出操作位置でロックする。
【００３２】
すなわち、上記アクチュエータ１７は、収容ボックス７内に収容された多数の商品６中から、ランダムに１つの商品６が抽出可能な状態に切換える抽出動作処理を行うように構成されている。
【００３３】
ちなみに、排出時には、収容ボックス７内の下寄り部分に位置する商品６から順次排出されていくため、排出時には、ランダム抽出が行われていないようにも思われるが、収容ボックス７内に商品６を納めるときに、ある程度互いを混同させた状態で、商品６をランダムに収容すれば、排出時にランダム抽出が行われたものとみなすことが可能になる。
【００３４】
なお、このアクチュエータ１７は、上述した通り、ランダム抽出が可能な状態するように構成されているが、これとは異なり、アクチュエータによって、商品をランダムに抽出してもよい。例えば、収容ボックス７内の商品６をランダムに抽出し、この抽出された商品を保持して排出口１１から排出するアーム等を駆動させるアクチュエータ等がこれに該当する。
【００３５】
一方、ユーザに情報を提供する場合には、複数ある情報中から、ランダムに抽出された情報を、モニタ９ａに表示するか、或いはユーザ端末１に送信することにより、該情報を提供する。このようにランダムに抽出された情報を、上記抽出動作処理によって、ダイレクトにユーザに提供してもよいし、或いは、該抽出動作処理によって、提供可能な状態としてもよい。この場合には、ユーザが操作ハンドル１２や操作ボタン１３等の操作を行うと、該抽出された状態が、上記した手段によってユーザに提供される。
【００３６】
また、モニタ９ａに表示する情報は、情報が埋込まれた二次元バーコードや、所定のサイトにログインするためのパスワード等であってもよく、ユーザに有益なものであれば、その情報の種類は、限定されない。なお、上記した商品６は、ユーザが所有を希望するような一般の商品の他、上記二次元バーコードやパスワード等の印刷された紙媒体等であってもよい。
【００３７】
図３は、提供装置の制御構成を示すブロック図である。提供装置２は、ネットワーク４を介して情報処理サーバ３と通信可能な有線又は無線の通信手段１９と、ユーザ端末１との間でダイレクトに情報の入出力を行う情報入出力手段２１と、上記トリガー情報を、情報入出力手段２１を介してユーザ端末１に提供するトリガー情報提供手段２２と、ユーザ端末１からの処理済通知を、通知手段１９又は情報入出力手段２１を介して受付ける通知受付手段２３と、上記抽出動作処理（情報又は商品をランダムに抽出する処理又はランダムな抽出を可能とする処理）を行う抽出手段２４と、抽出手段２４によって制御される上述のアクチュエータ１７と、抽出手段２４によってランダム抽出された情報をモニタ９ａ等に表示するモニタ出力手段２６と、各種情報を記憶する記憶装置２７とを備えている。
【００３８】
上記通信手段１９は、制御部１４及び情報端末９の一方又は両方の情報通信機能によって実現される。
【００３９】
上記情報入出力手段２１は、制御部１４及び情報端末９，１４の一方又は両方の情報通信機能によって実現させてもよいが、情報が含まれた二次元バーコード画像等をモニタ９ａに出力する手段や、ＩＣタグを用いた近距離無線通信（ＮＦＣ）等によって、これを実現してもよい。
【００４０】
二次元バーコード画像をモニタ９ａに出力表示させる場合、ユーザ端末１は、自己のカメラ等を用いて、この二次元バーコード画像を読込む必要がある。
【００４１】
トリガー情報提供手段２２や、通知受付手段２３や、抽出手段２４は、情報端末９と制御部１４の一方又は両方のＲＡＭ上に実行で実行されるプログラムによって実現される。
【００４２】
ちなみに、トリガー情報が、提供装置２のトリガー情報提供手段２２から提供されたであることを、情報処理サーバ３側で判断することが可能なように、該トリガー情報提供手段２２が構成されており、この情報中には、ユーザ処理の内容等の指示を含めることも可能である。
【００４３】
また、情報処理サーバ３側での、トリガー情報の上記正否の判断を可能とするため、トリガー情報の生成時や提供時に、情報処理サーバ３と通信可能としてもよいし、或いは、情報処理サーバ３側に、トリガー情報提供と同一のアルゴリズムを搭載し、非通信での同期処理を可能としてもよい。
【００４４】
上記記憶装置２７は、情報端末９の記憶手段と制御部１４の記憶手段の一方又は両方によって実現され、各種情報が記憶される。特に、提供装置２が受取る処理済通知中に、ユーザのアンケード結果等のユーザ処理内容が含まれている場合には、このユーザ処理の内容を、この記憶装置に記憶させ、後から取出して集計できるようにしてもよい。
【００４５】
図４は、ユーザ端末の制御構成を示すブロック図である。ユーザ端末１は、スマートフォンやタブレット端末等の携帯型の情報端末であり、一般の情報端末同様にＣＰＵやＲＡＭや記憶手段が内蔵されている。
【００４６】
このユーザ端末１は、ネットワーク４を介して情報処理サーバ３と通信可能な有線又は無線の通信手段２８と、提供装置２との間でダイレクトに情報の入出力を行う情報入出力手段２９と、上記トリガー情報を、該情報入出力手段２９を介して提供装置２側からのトリガー情報の提供を受付けるトリガー情報提受付手段３１と、トリガー情報受付手段３１によってトリガー情報を受取ったことを少なくとも１つの条件として、ユーザにユーザ端末１を介して、上記ユーザ処理を行わせるユーザ処理対応手段３２と、上記処理済通知を、通知手段２８又は情報入出力手段２９を介して、提供装置２に直接又は間接的に通知する通知手段３３と、各種情報を記憶する記憶装置３４とを備えている。
【００４７】
通信手段２８は、情報処理サーバ３との間で、ＴＣＰ／ＩＰ等の通信プロトコルにより、有線又は無線の通信を行う。
【００４８】
情報入出力手段２９は、提供装置２の情報入出力手段２１との間で、情報の入出力が可能に構成され、例えば、提供装置２の情報入出力手段２１が、情報が含まれた二次元バーコード画像をモニタ９ａ等に表示する場合には、この画像を取得するカメラ等によって、情報入出力手段２９の少なくとも一部を構成するし、提供装置２の情報入出力手段２１が、ＮＦＣ等の近距離無線通信手段から構成される場合には、この情報入出力手段２９も、これと同一通信プロトコルの近距離無線通信手段から構成される。
【００４９】
トリガー情報受付手段３１は、情報入出力手段２９を介して受取ったトリガー情報が、提供装置２から正しく提供されたものであるか否かを、通信手段２８を介して、情報処理サーバ３に確認し、このトリガー情報が正しいものであることが確認された場合には、ユーザ処理対応手段３２に処理を進める。
【００５０】
ユーザ処理対応手段３２は、情報処理サーバ３からの指示情報、トリガー情報中に含まれる指示情報、或いは自身の保持しているユーザ処理の情報に基づいて、ユーザにユーザ端末１を介して、ゲームプレイや、アンケート回答等のユーザ処理を実行させ、通知手段３３に処理を進める。
【００５１】
通知手段３３は、上記ユーザ処理の内容や完了した旨が含まれる処理済通知を、情報入出力手段２９を介して提供装置２に直接送るか、或いは、通信手段２８を介して情報処理サーバ３に送る。情報処理サーバ３は、上記処理済通知を受取った場合には、所定の処理を行った後、その一部又は全部を、提供装置２に送る。
【００５２】
記憶装置３４は、ユーザ処理の内容や、処理済通知の内容や、トリガー情報等や、その他の情報処理サーバ３からの情報等の各種情報が記憶されている。
【００５３】
図５は、情報処理サーバの制御構成を示すブロック図である。情報処理サーバ３は、ＣＰＵやＲＡＭを有するＡＴ互換機であって、該情報処理サーバ３は、ネットワーク４を介してユーザ端末１及び提供装置２との間で通信可能な有線又は無線の通信手段３６と、各種情報処理を行う情報処理手段３７と、トリガー情報や、処理済通知の情報や、ユーザ端末１のユーザの個人情報や認証情報等が記憶される記憶装置３８とを備えている。
【００５４】
通信手段３６は、ユーザ端末１との間で、ＴＣＰ／ＩＰ等の通信プロトコルにより、有線又は無線の通信を行うとともに、提供装置２との間で、ＴＣＰ／ＩＰ等の通信プロトコルにより、有線又は無線の通信を行う。このため、ユーザ端末１と提供装置２も、同一の通信プロトコルで、ネットワーク４を介した通信が可能になっている。
【００５５】
図６は、提供装置と、情報処理サーバと、ユーザ端末の処理手順を示す説明図である。提供装置２のトリガー情報提供手段２２は、所定の初期操作に起因して、まずトリガー情報を生成し、該トリガー情報を情報入出力手段２１によりユーザ端末１に提供する（ステップＳ１）。ちなみに、上記所定の初期操作としては、ユーザ端末１が提供装置２に近づけて行う近距離無線通信や、操作ボタン１３の操作や、ユーザ端末１から提供装置２への操作信号等、種々の操作を設定可能である。
【００５６】
ユーザ端末１のトリガー情報受付手段３１は、情報入出力手段２９を介して、トリガー情報を受取ると、このトリガー情報が提供装置２から提供された正しい情報であるか否かの確認を、情報処理サーバ３に確認するため、通信手段３１を介して、上記トリガー情報の全部又は一部を、情報処理サーバ３に送る（ステップＳ２）。ちなみに、ユーザ端末１は、情報処理サーバ３に対してユーザ認証を行った後に、上記したような情報のやり取りを、該情報処理サーバ３との間で行うことが可能になる。
【００５７】
情報処理サーバ３は、ユーザ端末１から送られてきたトリガー情報の全部又は一部から、このトリガー情報が、提供装置２から送られてきた正式な情報であるか否かを確認し（ステップＳ３）、正しい情報であれば、ＯＫを意味する確認済通知を、該ユーザ端末１に対して送る（ステップＳ４）。
【００５８】
確認済通知を、通信手段２８を介して、トリガー情報受付手段３１が受取った場合には、ユーザ処理対応手段３２によって、ユーザに上記ユーザ処理を行わせる（ステップＳ５）。
【００５９】
一方、情報処理サーバ３が、ユーザ端末１から受取ったトリガー情報が誤った情報であった場合や、一部が欠損している場合には、エラー情報をユーザ端末１に送る。このエラー情報を受取ったユーザ端末１は、ユーザ処理対応手段３２によるユーザ処理は行わせずに、トリガー情報が誤っている旨を、モニタ出力等して報知し、次に、トリガー情報を受取るために、再び待機状態に移行する。
【００６０】
ユーザ端末１の通知手段３３は、ユーザ処理対応手段３２によるユーザ処理が完了すると、通信手段２８を介して、上記処理済通知を、情報処理サーバ３に送る（ステップＳ６）。情報処理サーバ３は、処理済通知を受取ると、ユーザ端末１側で、上記ユーザ処理が正しく実行されたか否かを確認し（ステップＳ７）、正しくユーザ処理が実行されている場合には、この処理済通知の一部又は全部を、提供装置２に送る（ステップＳ８）。
【００６１】
一方、情報処理サーバが、上記ユーザ処理が正しく実行されなかったことが確認された場合には、その旨（エラー情報）をユーザ端末１に対して送る。エラー情報を受取ったユーザ端末１は、エラー表示にモニタ等で出力して報知し、その後、再度、ユーザ処理対応手段３１により、上記ユーザ処理を実行させる（ステップＳ５）。
【００６２】
提供装置２は、通信手段１９を介して、通知受付手段２４により上記処理済通知を受取ると、モニタ出力手段２６や、アクチュエータ１７により抽出動作処理を行い（ステップＳ９）、ランダムに抽出された情報又は商品を、ユーザに提供または提供可能な状態とする。
【００６３】
以上のように構成される情報又は商品の提供装置及びシステムによれば、上記ユーザ処理の内容を、利用するユーザ層や、企業のビジネス展開によって、適宜設定すれば、ユーザ及び企業の双方にメリットのある利用価値の高いシステムを構築することが可能になる。
【００６４】
また、各種情報が、情報処理サーバ３側で一元的に管理されるため、情報の管理が容易であり、しかも上記ユーザ処理の内容はこの情報処理サーバ３の記憶装置３８に順次蓄積させることが可能であるため、企業にとって有益な状態を容易に取り溜めることが可能になる。
【００６５】
次に、図７及び図８に基づき本発明の別実施形態について、上述の形態と異なる点を説明する。
【００６６】
図７は、本発明の他の実施形態に係る情報又は商品の提供システムの説明図である。同図に示す通り、この実施形態では、提供装置２のみがネットワーク４を介して情報管理サーバ３に接続されており、ユーザ端末１は、情報入出力手段２９を介して、提供装置２とのみデータのやり取りが可能な状態になっている。ちなみに、ユーザ端末１は、ネットワーク４に接続されている段階で、情報処理サーバ３に事前にアクセスしてユーザ認証を受け、トリガー情報の正否を確認するための各種情報（トリガー情報確認用情報）を、この情報処理サーバ３から事前に取得しておく。
【００６７】
図８は、提供装置と、情報処理サーバと、ユーザ端末の処理手順を示す説明図である。提供装置２からユーザ端末１にトリガー情報の提供されると（ステップＳ１）、ユーザ端末１は、上記したトリガー確認用情報を用いて、トリガー情報受付手段３１により受取ったトリガー情報の正否を判断し、ＯＫであれば、ユーザ処理対応手段３２によって、ユーザに上記ユーザ処理を行わせる（ステップＳ５）。
【００６８】
一方、トリガー情報が誤った情報であった場合や、一部が欠損している場合、ユーザ端末１は、ユーザ処理対応手段３２によるユーザ処理は行わせずに、トリガー情報が誤っている旨を、モニタ出力等して報知し、次に、トリガー情報を受取るために、再び待機状態に移行する。
【００６９】
ユーザ端末１の通知手段３３は、ユーザ処理対応手段３２によるユーザ処理が完了すると、情報入出力手段２９を介して、上記処理済通知を、提供装置２に送る（ステップＳ６）。
【００７０】
提供装置２の通知受付手段２３は、情報入出力手段２９を介して、この処理済通知を受取ると、情報処理サーバ３に対して、この処理済通知の内容の確認を要求し、この処理済通知の一部又は全部を送る（ステップＳ７−１）。
【００７１】
この要求及び処理済通知の一部又は全部を受取った情報処理サーバ３の情報処理手段３７は、ユーザ端末１側で、上記ユーザ処理が正しく実行されたか否かを確認し（ステップＳ７−２）、正しくユーザ処理が実行されている場合には、この処理済通知がＯＫである旨（確認済通知）を、提供装置２に送る（ステップＳ８）。
【００７２】
提供装置２は、通信手段１９を介して、通知受付手段２３により上記ＯＫな旨の通知を受取ると、モニタ出力手段２６や、アクチュエータ１７により抽出動作処理を行い（ステップＳ９）、ランダムに抽出された情報又は商品を、ユーザに提供または提供可能な状態とする。
【００７３】
一方、情報処理サーバ３が、上記ユーザ処理が正しく実行されなかったことが確認された場合には、その旨（エラー情報）を提供装置２に対して送る。提供措置２の通知受付手段２３は、そのエラー情報を、モニタ９ａに出力するとともに、情報入出力手段２１を介してユーザ端末１にユーザ処理の再度の実行を要求する。この要求を、情報入出力手段２９を介して受取ったユーザ端末１のユーザ処理対応手段３２は、ユーザの対して、再度のユーザ処理を行わせる（ステップＳ５）。
【００７４】
以上のように、ユーザ端末１が、ネットワーク４に接続されていなくても、一連の処理を滞りなく実行することが可能である。
【００７５】
次に、図９及び図１０に基づき本発明の別実施形態について、上述の形態と異なる点を説明する。
【００７６】
図９は、本発明の他の実施形態に係る情報又は商品の提供システムの説明図である。同図に示す通り、この実施形態では、提供装置２及びユーザ端末１の両方がネットワーク４に接続されておらず、ユーザ端末１と提供装置２は、互いの情報入出力手段２１，２９を介してのみデータのやり取りが可能な状態になっている。
【００７７】
ちなみに、ユーザ端末１は、ネットワーク４に接続されている段階で、情報処理サーバ３に事前にアクセスしてユーザ認証を受け、上記トリガー情報確認用情報を、この情報処理サーバ３から事前に取得しておく。一方、提供装置２も、ユーザ端末２からの処理済通知の内容の正否を確認するための各種情報（処理済通知確認用情報）を、予め記憶装置２７等に記憶しておく。
【００７８】
図１０は、提供装置と、情報処理サーバと、ユーザ端末の処理手順を示す説明図である。提供装置２からユーザ端末１にトリガー情報の提供されると（ステップＳ１）、ユーザ端末１は、上記トリガー確認用情報を用いて、トリガー情報受付手段３１により受取ったトリガー情報の正否を判断し（ステップＳ３）、ＯＫであれば、ユーザ処理対応手段３２によって、ユーザに上記ユーザ処理を行わせる（ステップＳ５）。
【００７９】
一方、トリガー情報が誤った情報であった場合や、一部が欠損している場合、ユーザ端末１は、ユーザ処理対応手段３２によるユーザ処理は行わせずに、トリガー情報が誤っている旨を、モニタ出力等して報知し、次に、トリガー情報を受取るために、再び待機状態に移行する。
【００８０】
ユーザ端末１の通知手段３３は、ユーザ処理対応手段３２によるユーザ処理が完了すると、情報入出力手段２９を介して、上記処理済通知を、提供装置２に送る（ステップＳ６）。
【００８１】
情報処理サーバ３の通知受付手段２３は、情報入出力手段２９を介して、この処理済通知を受取ると、上記処理済通知確認用情報を用いて、受取った処理済通知の内容を確認し（ステップＳ７）、正しくユーザ処理が実行されている場合には、モニタ出力手段２６や、アクチュエータ１７により抽出動作処理を行い（ステップＳ９）、ランダムに抽出された情報又は商品を、ユーザに提供または提供可能な状態とする。
【００８２】
一方、情報処理サーバ３が、上記ユーザ処理が正しく実行されなかったことが確認された場合には、その旨（エラー情報）を提供装置２に対して送る。提供措置２の通知受付手段２３は、そのエラー情報を、モニタ９ａに出力するとともに、情報入出力手段２１を介してユーザ端末１にユーザ処理の再度の実行を要求する。この要求を、情報入出力手段２９を介して受取ったユーザ端末１のユーザ処理対応手段３２は、ユーザの対して、再度のユーザ処理を行わせる（ステップＳ５）。
【００８３】
以上のように、ユーザ端末１及び提供装置２の両方が、ネットワーク４に接続されていなくても、事前に必要な情報を取得しておくことにより、一連の処理を滞りなく実行することが可能である。
【００８４】
次に、図１１及び図１２に基づき本発明の別実施形態について、上述の形態と異なる点を説明する。
【００８５】
図１１は、本発明の他の実施形態に係る情報又は商品の提供システムの説明図である。同図に示す通り、この実施形態では、情報処理サーバ３として、第１情報処理サーバ３Ａと、第２情報処理サーバ３Ｂとの２つの設け、第１情報処理サーバ３Ａは、ネットワーク４の１つである第１ネットワーク４Ａを介して、提供装置２と接続され、第２情報処理サーバ３Ｂは、ネットワーク４の１つである第２ネットワーク４Ｂを介して、提供装置２と接続されている。
【００８６】
第１ネットワーク４Ａと、第２ネットワーク４Ｂとは、互いに異なるネットワークであるが、第１情報処理サーバ３Ａと、第２情報処理サーバ３Ｂとは、非通信でも、同一アルゴリズム等を搭載して、互いに各種同期処理を行うことが可能であり、互いに通信可能とすれば、さらに効率的に同期処理を行うことが可能になる。
【００８７】
図１２は、提供装置と、第１情報処理サーバの処理手順を示す説明図であり、図１３は、ユーザ端末と、第２情報処理サーバの処理手順を示す説明図である。提供装置２のトリガー情報提供手段２２は、情報通信手段１９を介して、第１情報処理サーバ４Ａにトリガー情報を要求する（ステップＳ１−１）。
【００８８】
第１情報処理サーバ３Ａの情報処理手段３７は、通信手段３６を介して、上記トリガー情報の要求を受付けると、第２情報処理サーバ３Ａ側で正否を判断可能な状態のトリガー情報を生成し（ステップＳ１−２）、このトリガー情報を、通信手段３６を介して、提供装置２に送信する（ステップＳ１−３）。
【００８９】
提供装置２のトリガー情報提供手段２２は、情報通信手段１９を介して、第１情報処理サーバ４Ａからトリガー情報を受取ると、情報入出力手段２１を介して、ユーザ端末１にトリガー情報を送信する（ステップＳ１−４）。
【００９０】
ユーザ端末１のトリガー情報受付手段３１は、情報入出力手段２９を介して、トリガー情報を受取ると、このトリガー情報が提供装置２から提供された正しい情報であるか否かの確認を、第２情報処理サーバ３Ｂに確認するため、通信手段３１を介して、上記トリガー情報の全部又は一部を、第２情報処理サーバ３Ｂに送る（ステップＳ２）。
【００９１】
第２情報処理サーバ３Ｂは、ユーザ端末１から送られてきたトリガー情報の全部又は一部から、このトリガー情報が、提供装置２から送られてきた正式な情報であるか否かを確認し（ステップＳ３）、正しい情報であれば、ＯＫを意味する確認済通知を、該ユーザ端末１に対して送る（ステップＳ４）。
【００９２】
確認済通知を、通信手段２８を介して、トリガー情報受付手段３１が受取った場合には、ユーザ処理対応手段３２によって、ユーザに上記ユーザ処理を行わせる（ステップＳ５）。
【００９３】
一方、第２情報処理サーバ３Ｂは、ユーザ端末１から受取ったトリガー情報が誤った情報であった場合や、一部が欠損している場合には、エラー情報をユーザ端末１に送る。このエラー情報を受取ったユーザ端末１は、ユーザ処理対応手段３２によるユーザ処理は行わせずに、トリガー情報が誤っている旨を、モニタ出力等して報知し、次に、トリガー情報を受取るために、再び待機状態に移行する。
【００９４】
ユーザ端末１の通知手段３３は、ユーザ処理対応手段３２によるユーザ処理が完了すると、情報入出力手段２９を介して、ユーザ処理が完了した旨とともに、上記処理済通知の生成を、第２情報処理サーバ３Ｂに送る（ステップＳ６−１）。
【００９５】
第２情報処理サーバ３Ｂは、ユーザ端末１側からユーザ処理が完了した旨の情報を受取ると、正しくユーザ処理が行われたか否かを、確認し、正しく行われたことが確認された場合には、第１情報処理サーバ３Ａでも正否の判断が可能な処理済通知を生成し（ステップＳ６−２）、この生成した処理済通知を、ユーザ端末１に送信する（ステップＳ６−３）。
【００９６】
ユーザ端末１の通知手段３３は、この生成された処理済通知を受取ると、この処理済通信を、情報入出力手段２９を介して、提供装置２に送る（ステップＳ６−４）。
【００９７】
一方、第２情報処理サーバ３Ｂ側で、ユーザ処理が正しく行われなかったことが確認された場合には、ユーザ処理が正しくなかった旨を、ユーザ端末１に送り、この情報を、通信手段２８を介して、受取ったユーザ端末１は、ユーザ処理対応手段３２により、再度ユーザにユーザ処理を行わせる（ステップＳ５）。
【００９８】
提供装置２の通知受付手段２３は、情報入出力手段２９を介して、上記処理済通知を受取ると、第１情報処理サーバ３Ａに対して、この処理済通知の内容の確認を要求し、この処理済通知の一部又は全部を送る（ステップＳ７−１）。
【００９９】
この要求及び処理済通知の一部又は全部を受取った第１情報処理サーバ３Ａの情報処理手段３７は、ユーザ端末１側で、上記ユーザ処理が正しく実行されたか否かを確認し（ステップＳ７−２）、正しくユーザ処理が実行されている場合には、この処理済通知がＯＫである旨を、提供装置２に送る（ステップＳ８）。
【０１００】
提供装置２は、通信手段１９を介して、通知受付手段２３により上記ＯＫな旨の通知を受取ると、モニタ出力手段２６や、アクチュエータ１７により抽出動作処理を行い（ステップＳ９）、ランダムに抽出された情報又は商品を、ユーザに提供または提供可能な状態とする。
【０１０１】
一方、第１情報処理サーバ３Ａは、上記ユーザ処理が正しく実行されなかったことが確認された場合、その旨（エラー情報）を提供装置２に対して送る。提供措置２は、通知受付手段２３によりこのエラー情報を受取った場合、ステップＳ１−１に処理を戻し、最初から処理が行わせる。
【０１０２】
以上のように、提供装置２とユーザ端末１が、異なる２つのネットワーク４Ａ、４Ｂに接続されている場合でも、一連の処理を滞りなく実行することが可能である。
【符号の説明】
【０１０３】
１  ユーザ端末（情報端末）
２  提供装置（ガチャ装置）
３  情報処理サーバ
４  ネットワーク（インターネット）
６  商品
８  筐体
９  情報端末（タブレット端末）
１１  排出口
１２  操作ハンドル（操作具）
１３  操作ボタン（操作具）
１４  制御部（マイコン）
１６  ロック機構
１７  アクチュエータ（電動モータ）
１８  操作検出手段（回転センサ，ポテンショメータ）
１９  通信手段
２１  情報入出力手段
２２  トリガー情報提供手段
２３  通知受付手段
２４  抽出手段
２６  モニタ出力手段
２７  記憶装置
２８  通信手段
２９  情報入出力手段
３１  トリガー情報提受付手段
３２  ユーザ処理対応手段
３３  通知手段
３４  記憶装置
３６  通信手段
３７  情報処理手段
３８  記憶装置
【図１】
2016004312.tif 000003
【図２】
2016004312.tif 000004
【図３】
2016004312.tif 000005
【図４】
2016004312.tif 000006
【図５】
2016004312.tif 000007
【図６】
2016004312.tif 000008
【図７】
2016004312.tif 000009
【図８】
2016004312.tif 000010
【図９】
2016004312.tif 000011
【図１０】
2016004312.tif 000012
【図１１】
2016004312.tif 000013
【図１２】
2016004312.tif 000014
【図１３】
2016004312.tif 000015